(57)【要約】【課題】  画像を表示していない眼に入る光量が変化しても、画像を明確に視認することが可能なヘッドマウントディスプレイを提供する。【解決手段】  動画データ保持装置１のメモリには、表示すべき動画の源画像情報が記憶されている。この源画像情報は、画像１枚に対応する分毎に、画質調整量演算部２に送られる。画質調整量演算部２は、外部光測定部３からの信号を受けて、画像データの輝度補正を行う。輝度補正を行われた画像データは、動画データ再生部４に送られて、画像データに変換され、表示部の画像表示装置５に表示される。【選択図】  図１
2006133439.tif 000002
【特許請求の範囲】
【請求項１】
装着者の片方の眼に、源画像情報に対応する画像を表示する表示部を有するヘッドマウントディスプレイであって、前記片方の眼とは逆の眼に入射する光量を測定する光量センサを有し、前記光量センサで測定された光量と、予め定められた視覚特性とから、前記源画像情報が有する画素ごとの輝度情報と、実際に表示する画像の輝度との関係を１画面毎に定め、定められた関係に従って、源画像情報の輝度情報を補正して、補正結果に基づいて画像表示を行う機能を有することを特徴とするヘッドマウントディスプレイ。
【請求項２】
請求項１に記載のヘッドマウントディスプレイであって、前記視覚特性として複数のものを用意し、前記光量センサで測定された光量の段階に応じて、使用する前記視覚特性を選択する機能を有することを特徴とするヘッドマウントディスプレイ。
【請求項３】
請求項１に記載のヘッドマウントディスプレイであって、１画面に相当する源画像情報の各画素の輝度の平均値を算出し、算出された平均値と、前記光量センサで測定された光量との関係に基づいて、前記視覚特性を決定する機能を有することを特徴とするヘッドマウントディスプレイ。
【請求項４】
装着者の片方の眼に、源画像情報に対応する画像を表示する表示部を有するヘッドマウントディスプレイであって、前記片方の眼とは逆の眼に入射する光量を測定する光量センサと、所定数の画面の源画像情報を先読みする手段を有し、前記光量センサで測定された光量と、前記所定数毎に先読みした前記所定数だけの画面の源画像情報の輝度を平均した平均輝度情報と、予め定められた視覚特性とから、前記源画像情報が有する画素ごとの輝度情報と、実際に表示する画像の輝度との関係を１画面毎に定め、定められた関係に従って、源画像情報の輝度情報を補正して、補正結果に基づいて画像表示を行う機能を有することを特徴とするヘッドマウントディスプレイ。
【請求項５】
装着者の片方の眼に、源画像情報に対応する画像を表示する表示部を有するヘッドマウントディスプレイであって、前記片方の眼とは逆の眼に入射する光量を測定する光量センサと、所定数の画面の源画像情報を先読みする手段を有し、前記光量センサで測定された光量と、前記先読みした所定数だけの画面の源画像情報の輝度を移動平均した平均輝度情報と、予め定められた視覚特性とから、前記源画像情報が有する画素ごとの輝度情報と、実際に表示する画像の輝度との関係を１画面毎に定め、定められた関係に従って、源画像情報の輝度情報を補正して、補正結果に基づいて画像表示を行う機能を有することを特徴とするヘッドマウントディスプレイ。
【請求項６】
装着者の片方の眼に、源画像情報に対応する画像を表示する表示部を有するヘッドマウントディスプレイであって、前記片方の眼とは逆の眼に入射する光量を測定する光量センサと、所定数の画面の源画像情報を先読みする手段を有し、前記光量センサで測定された光量と、前記先読みした画面の源画像情報の輝度を指数平滑した指数平滑輝度情報と、予め定められた視覚特性とから、前記源画像情報が有する画素ごとの輝度情報と、実際に表示する画像の輝度との関係を１画面毎に定め、定められた関係に従って、源画像情報の輝度情報を補正して、補正結果に基づいて画像表示を行う機能を有することを特徴とするヘッドマウントディスプレイ。
【請求項７】
請求項４から請求項６のうちいずれか１項に記載のヘッドマウントディスプレイであって、前記視覚特性として複数のものを用意し、前記光量センサで測定された光量の段階に応じて、使用する前記視覚特性を選択する機能を有することを特徴とするヘッドマウントディスプレイ。
【発明の詳細な説明】
【技術分野】
【０００１】
本発明は、頭部に装着して、装着者の眼に画像を表示する機能を有するヘッドマウントディスプレイに関するものである。
【背景技術】
【０００２】
近年、液晶パネル（ＬＣＤ）等の表示デバイス上に表示された映像を、接眼レンズやハーフミラー等を有する光学系を介して拡大した虚像として観察する眼鏡タイプ等、人体に装着して使用されるの映像表示装置が種々提案され、ウエアラブルディスプレイと呼ばれている。そのうち、頭部に装着して使用されるものは、特にヘッドマウントディスプレイと呼ばれている。
【０００３】
ヘッドマウントディスプレイは、多くの場合、頭に巻いた形で頭部に装着する構成とされ、両眼に対応する位置に映像表示系を形成した両眼タイプと左右眼の一方の眼に対応する位置に映像表示系を形成した片眼タイプとがある。このうち、両眼タイプのものは、主として映像を楽しむための目的に使用される。片眼タイプのものは、例えばウエアラブルパソコン等の表示装置等や、作業者に指示を表示する表示装置としての使用方法が期待されている。その例として、特開平８−３０５２９８号公報（特許文献１）に記載されるような方式のものが公知となっている。
【０００４】
このようなヘッドマウントディスプレイにおいて、表示部は、眼の前に置いて使用されるが、眼の前に常時あることが望ましい場合（他の作業はしないので、他に邪魔されたくない）もあれば、眼の前にはあってほしくない場合や、一旦眼の前からなくなり再度使用したい等、さまざまな状況が考えられる。そこで、頭部に装着したままの状態で、表示部が眼の前から移動することができるような構造となっていることが好ましい。このようなヘッドマウントディスプレイは、例えば、特開２００４−２０７８４７号公報（特許文献２）に記載されている。
【０００５】
その概要を図４に示す。ヘッドマウントディスプレイ２１は、リアアーム２２、ディスプレイアーム２３、表示部２４、耳当て部２５を主要部として構成されている。
【０００６】
表示部２４はディスプレイアーム２３の先端部に取り付けられており、帯状となったディスプレイアーム２３の後部は、リアアーム２２中の中空部に収納され、装着者の頭部の形状に合わせて伸縮可能なようになっている。耳当て部２５はリアアーム２２に固定されて、リアアーム２２の弾性付勢力により、装着者の耳を押さえつけるようにされている。
【０００７】
この方式のヘッドマウントディスプレイ２１においては、ディスプレイアーム２３はリアアーム２２の片側にしか収納されておらず、表示部２４を左眼の前に配置する場合には図４に示されたような姿勢で使用し（実線がディスプレイアーム２３と表示部２４が収納位置にある場合を示し、２点鎖線が表示部２４を装着者の眼前に位置させて画像を観察する場合を示す）、表示部２４を右眼の前に配置する場合は、図４に示された姿勢から１８０°回転させ、上下左右を反対にした姿勢で使用する。
【０００８】
【特許文献１】特開平８−３０５２９８号公報
【特許文献２】特開２００４−２０７８４７号公報
【発明の開示】
【発明が解決しようとする課題】
【０００９】
このような、片目タイプのヘッドマウントディスプレイにおいて、画像を表示しようとするとき、画像が表示されていない他の眼に入る光量が問題となる。則ち、表示画面の輝度を一定に保った場合、他の眼に入る光量が多い場合（周囲が明るい場合）には、人間の眼の視覚特性により画像が暗く見え、逆に他の眼に入る光量が少ない場合（周囲が暗い場合）には、人間の眼の視覚特性により画像が明るくまぶしく見え、どちらの場合も画像が見にくいという問題点がある。
【００１０】
本発明はこのような事情に鑑みてなされたもので、画像を表示していない眼に入る光量が変化しても、画像を明確に視認することが可能なヘッドマウントディスプレイを提供することを課題とする。
【課題を解決するための手段】
【００１１】
前記課題を解決するための第１の手段は、装着者の片方の眼に、源画像情報に対応する画像を表示する表示部を有するヘッドマウントディスプレイであって、前記片方の眼とは逆の眼に入射する光量を測定する光量センサを有し、前記光量センサで測定された光量と、予め定められた視覚特性とから、前記源画像情報が有する画素ごとの輝度情報と、実際に表示する画像の輝度との関係を１画面毎に定め、定められた関係に従って、源画像情報の輝度情報を補正して、補正結果に基づいて画像表示を行う機能を有することを特徴とするヘッドマウントディスプレイ（請求項１）である。
【００１２】
本明細書及び特許請求の範囲でいう「視覚特性」とは、実際に撮像素子で撮像され源画像データとして記録されている画素の輝度データと、その輝度データを有する画素を表示したときに、実際の人間の眼が感じる輝度との関係をいい、一般的に、画像を表示する眼とは逆の眼に入る光量、さらにこれに加えて、源画像情報の平均輝度によっても変化するものである。
【００１３】
単純に考えると、源画素データの輝度データに表示部が装着されていない側の眼に入る光量（ほとんどの場合外光の光量）に比例するファクタを掛けて、その値の輝度が画像の輝度となるように表示させれば、表示部が装着されていない側の眼に入る光量が多いときには画像が明るくなり、反対に、表示部が装着されていない側の眼に入る光量が少ないときには画像が暗くなって、前述の問題は解決されるように考えられる。
【００１４】
しかし、視覚特性は、同じ画像を明るい場所で見た場合には、暗い部分がより暗く見え、暗い場所でみた場合には、明るい部分がより明るく見えるという性質を有しているので、単純に画像の輝度を、表示部が装着されていない側の眼に入る光量に比例させて変化させるのでは、不十分である。
【００１５】
本発明においては、このような人間の眼の視覚特性を考慮して源画像情報が有する画素ごとの輝度情報と、実際に表示する画像の輝度との関係を１画面毎に定めて、この関係に基づいて決定された輝度を有する画像を表示部に表示できるので、表示部が装着されていない側の眼に入る光量が変化した場合でも、明瞭に視認できる画像を表示することができる。
【００１６】
前記課題を解決するための第２の手段は、前記第１の手段であって、前記視覚特性として複数のものを用意し、前記光量センサで測定された光量の段階に応じて、使用する前記視覚特性を選択する機能を有することを特徴とするもの（請求項２）。
【００１７】
本手段においては、前記光量センサで測定された光量に応じて段階を定め、その段階に応じて使用する視覚特性を変えているので、視覚特性を光量センサで測定された光量の関数として表す必要が無くなり、補正が簡単になる。
【００１８】
前記課題を解決するための第３の手段は、前記第１の手段であって、１画面に相当する源画像情報の各画素の輝度の平均値を算出し、算出された平均値と、前記光量センサで測定された光量との関係に基づいて、前記視覚特性を決定する機能を有することを特徴とするもの（請求項３）である。
【００１９】
表示される画像一枚の平均的な輝度が、画像によって変化するような場合には、画像の見え方は、前記光量センサで測定される光量のみでなく、画面１枚ごとの平均的な輝度によっても左右される。本手段においては、１画面に相当する源画像情報の各画素の輝度の平均値を算出し、算出された平均値と、前記光量センサで測定された光量との関係に基づいて、前記視覚特性を決定する機能を有するので、このような場合においても、明確な画像を視認することができる。
【００２０】
前記課題を解決するための第４の手段は、装着者の片方の眼に、源画像情報に対応する画像を表示する表示部を有するヘッドマウントディスプレイであって、前記片方の眼とは逆の眼に入射する光量を測定する光量センサと、所定数の画面の源画像情報を先読みする手段を有し、前記光量センサで測定された光量と、前記所定数毎に先読みした前記所定数だけの画面の源画像情報の輝度を平均した平均輝度情報と、予め定められた視覚特性とから、前記源画像情報が有する画素ごとの輝度情報と、実際に表示する画像の輝度との関係を１画面毎に定め、定められた関係に従って、源画像情報の輝度情報を補正して、補正結果に基づいて画像表示を行う機能を有することを特徴とするヘッドマウントディスプレイ（請求項４）である。
【００２１】
本手段の基本的な機能は、前記第１の手段と同じであるが、本手段においては、画面１枚毎に輝度補正処理を行うのではなく、表示する画像の画面の枚数を所定枚数毎にまとめ、ひとまとまりの画像の最初の画像が表示される前に、そのひとまとまりの画像の源画像情報を先読みする。そして、これらの所定枚数の画面の源画像情報について輝度の平均値をとって平均輝度情報を形成する。そして、光量センサで測定された光量と、この平均輝度情報と、予め定められた視覚特性とから、前記源画像情報が有する画素ごとの輝度情報と、実際に表示する画像の輝度との関係を１画面毎に定め、定められた関係に従って、源画像情報の輝度情報を補正して、補正結果に基づいて画像表示を行う。
【００２２】
前記第１の手段においては、画像一枚ごとに補正がかかるので、一連の画像（特に動画像）をみる場合にかえって不自然に見える場合があるが、本手段においては、補正値は所定枚数毎に計算しており、所定枚数の画像内では同じ補正値が使用されるので、このような不自然さを解消できる。
【００２３】
前記課題を解決するための第５の手段は、装着者の片方の眼に、源画像情報に対応する画像を表示する表示部を有するヘッドマウントディスプレイであって、前記片方の眼とは逆の眼に入射する光量を測定する光量センサと、所定数の画面の源画像情報を先読みする手段を有し、前記光量センサで測定された光量と、前記先読みした所定数だけの画面の源画像情報の輝度を移動平均した平均輝度情報と、予め定められた視覚特性とから、前記源画像情報が有する画素ごとの輝度情報と、実際に表示する画像の輝度との関係を１画面毎に定め、定められた関係に従って、源画像情報の輝度情報を補正して、補正結果に基づいて画像表示を行う機能を有することを特徴とするヘッドマウントディスプレイ（請求項５）である。
【００２４】
前記第４の手段においては、先読みしたひとまとまりの画像の画面の源画像情報について輝度の平均値をとって平均輝度情報を形成し、そのひとまとまりの画面の源画像情報について輝度の平均値をとって平均輝度情報を形成し、これを輝度補正に使用していた。しかし、この方法では、ひとまとまりの画面の源画像情報毎に平均輝度情報が変化するので、ひとまとまり毎の画面の境目において、平均輝度情報がステップ状に変化し、不自然に見えることがある。
【００２５】
これに対し、本手段においては、源画像情報の輝度の移動平均をとって、１枚の画像毎に変化する移動平均値を、それに対応する画面（通常、移動平均をとる最後の画面）の画像の輝度補正に使用しているので、補正が滑らかに行われ、違和感を感じなくなる。
【００２６】
前記課題を解決するための第６の手段は、装着者の片方の眼に、源画像情報に対応する画像を表示する表示部を有するヘッドマウントディスプレイであって、前記片方の眼とは逆の眼に入射する光量を測定する光量センサと、所定数の画面の源画像情報を先読みする手段を有し、前記光量センサで測定された光量と、前記先読みした画面の源画像情報の輝度を指数平滑した指数平滑輝度情報と、予め定められた視覚特性とから、前記源画像情報が有する画素ごとの輝度情報と、実際に表示する画像の輝度との関係を１画面毎に定め、定められた関係に従って、源画像情報の輝度情報を補正して、補正結果に基づいて画像表示を行う機能を有することを特徴とするヘッドマウントディスプレイ（請求項６）である。
【００２７】
本手段においては、前記第５の手段において使用していた移動平均の代わりに、指数平滑を使用している。よって、前記第５の手段と同様の作用効果が得られる。
【００２８】
前記課題を解決するための第７の手段は、前記第４の手段から第６の手段のいずれかであって、前記視覚特性として複数のものを用意し、前記光量センサで測定された光量の段階に応じて、使用する前記視覚特性を選択する機能を有することを特徴とするもの（請求項７）である。
【００２９】
本手段は、前記第４の手段から第６の手段のいずれかと前記第２の手段とを組み合わせたもので、両者が有する作用効果を奏する。
【発明の効果】
【００３０】
本発明によれば、画像を表示していない眼に入る光量が変化しても、画像を明確に視認することが可能なヘッドマウントディスプレイを提供することができる。
【発明を実施するための最良の形態】
【００３１】
以下、本発明の実施の形態の例を、図を用いて説明する。ヘッドマウントディスプレイ本体部の構成は図４に示した従来のものと同様のものでよく、かつ、本発明の主要部と直接関係がないので、その説明を省略する。
【００３２】
図１は、本発明の実施の形態であるヘッドマウントディスプレイの画像表示制御部を示すブロック図である。動画データ保持装置１のメモリ（不図示）には、表示すべき動画の源画像情報が記憶されている。この源画像情報は、画面１枚に対応する分毎に、画質調整量演算部２に送られる。画質調整量演算部２は、外部光測定部３からの信号を受けて、後に示すような画像データの輝度補正を行う。輝度補正を行われた画像データは、動画データ再生部４に送られて、画像データに変換され、表示部の画像表示装置５に表示される。
【００３３】
ここに、外部光測定装置は、例えば図４の表示部２４の背面側（眼に対面する方向と反対側）に設けられ、外光の光量を測定する。外光の光量は、画像表示に使用されていない側の眼に入る光量に等しいと考えられるので、これにより、画像表示に使用されていない側の眼に入る光量を測定することができる。
【００３４】
以下、画質調整量演算部２の動作の例を説明する。動画データ保持装置１から送られてきた一枚の画面に相当する画像の各画素の位置を（ｘ，ｙ）で示し、それに対応する源画像情報の輝度をＩｏ（ｘ，ｙ）で示す。そして、外部光測定部３の出力をφとする。
【００３５】
画質調整量演算部２は、源画像情報の輝度Ｉｏを外部光測定部３の出力φに応じて補正するための関数ｆ（Ｉｏ，φ）を有している。この関数ｆ（Ｉｏ，φ）が視覚特性に相当する。この関数の出力Ｉは、
Ｉ＝ｆ（Ｉｏ，φ）  …(1)
で示され、源画像情報の輝度Ｉｏが、測定された光量φに応じて（１）式により、各画素毎に補正される。則ち、各画素ごとの輝度は、
Ｉ（ｘ，ｙ）＝ｆ｛Ｉｏ（ｘ，ｙ），φ｝  …（２）
となる。そして、画質調整量演算部２から動画データ再生部に送られる画像データにおける輝度データはＩ（ｘ，ｙ）に変換されている。
【００３６】
関数ｆ（Ｉｏ，φ）は、関数形として持つこともでき、光量φを量子化して、量子化された段階毎に、ルックアップデーブルの形で持つようにしてもよい。又、関数形が複雑になる場合には、光量φを量子化して、量子化された段階毎に、異なる関数形としてもよい。
【００３７】
関数ｆ（Ｉｏ，φ）は、光量センサで測定された光量が表示装置を使用していない眼に入った状態で画像を見るとき、その画像が自然に見えるように補正するような関数形をしており、光量センサや、画像を撮影したときの撮像装置のセンサの特性、及び人間の眼の特性を考慮して、当業者が適宜決定することができるものであるが、一般的にいって以下の性質を持つ。
（ａ）光量φが多いとき、同じＩｏに対してＩを大きくし、光量φが少ないとき、同じＩｏに対してＩを小さくする。
（ｂ）光量φが多いとき、Ｉ／Ｉｏを、小さいＩｏに対して、大きいＩｏに対するよりも大きくする。光量φが少ないとき、Ｉ／Ｉｏを、大きいＩｏに対して、小さいＩｏに対するよりも小さくする。
【００３８】
この様子を図２に示す。図２（ａ）は、光量φが標準の状態の時のＩｏとＩの関係を示すグラフであるとする。この状態から光量φが多くなったとき、全てのＩｏに対して、同じ倍率でＩを大きくしたのが図２（ｂ）の破線で示すグラフである。このようにすると、原画像の暗い部分が相対的により暗く視認されるようになり、見づらくなるので、実際の特性は、図２（ｂ）の実線で示すように、Ｉｏの小さい部分での倍率をより大きくし、この部分でのＩの値が相対的に大きくなるようにしている。
【００３９】
又、図２（ａ）に示す標準の状態から、光量φが少なくなったとき、全てのＩｏに対して、同じ倍率でＩを小さくしたのが図２（ｃ）の破線で示すグラフである。このようにすると、原画像の明るい部分が相対的により明るく視認されるようになり、まぶしくて見づらくなるので、実際の特性は、図２（ｃ）の実線で示すように、Ｉｏの大きい部分での倍率をより小さくし、この部分でのＩの値が相対的に小さくなるようにしている。
【００４０】
以上は、源画像情報の輝度Ｉｏと、測定された光量φに基づいて補正関数ｆ（Ｉｏ，φ）を求め、それにより実際に表示される画像の輝度を求める方法であったが、視認される画像の画質が、測定された光量φと源画像情報全体の輝度との相対関係によって決まる場合がある。このような場合には、補正関数ｆ（Ｉｏ，φ）の代わりに、源画像情報の輝度Ｉｏ、測定された光量φ、画像１枚中における源画像情報の画素毎の輝度の平均値Ａの関数である補正関数ｇ（Ｉｏ，φ,Ａ）を用いて上述のような補正計算を行うようにするとよい。この場合には、補正関数ｇ（Ｉｏ，φ,Ａ）が視覚特性に相当する。則ち、画像１枚中における源画像情報の画素毎の輝度の平均値Ａを、
【００４１】
【数１】
2006133439.tif 000003
【００４２】
として求め（ｍは１画面中の画素数である）、各画素毎の輝度を、
Ｉ（ｘ，ｙ）＝ｇ｛Ｉｏ（ｘ，ｙ），φ，Ａ｝  …（４）
とし、画質調整量演算部２から動画データ再生部に送られる画像データにおける輝度データをＩ（ｘ，ｙ）に変換する。
【００４３】
この場合には、φを量子化し、量子化されたφの段階ごとにテーブルを持ったり、関数形を別にすることもできる。又、Ａについても量子化し、量子化されたＡの段階ごとにテーブルを持ったり、関数形を別にすることもできる。φとＡとの量子化を組み合わせて使用してもよい。
【００４４】
図３は、本発明の別の実施の形態であるヘッドマウントディスプレイの画像表示制御部を示すブロック図である。図３において、図１に示された構成要素と同じ構成要素には、同じ符号を付して説明を省略することがある。
【００４５】
図３に示すブロック図は、動画データ分析部６を有する点が、図１に示すブロック図と異なっているのみである。従って、動画データ分析部６と関係のない部分の作動は、図１に示した実施の形態と同じである。この実施の形態においては、源画像情報の輝度の補正は、各画面毎に行うのではなく、所定枚数の画像内においては補正値を一定に保ち、所定枚数の画像毎に新しい補正値を計算して、それに基づいて補正を行うようにしている。
【００４６】
則ち、動画データ分析部６は、所定枚数の画面毎に、次に表示される所定枚数の源画像情報を動画データ保持装置１から予め読み出し（先読みと称している）、その輝度データを画素毎に平均化を行う。画像の画面の枚数は、例えば数分間分の画面枚数とする。この画面枚数をｎとするとき、輝度の平均値Ａ’は
【００４７】
【数２】
2006133439.tif 000004
【００４８】
で求まる（ｍは１画面中の画素数である）。画質調整量演算部２は、このＡ’を前述の（４）式におけるＡの代わりに使用して、図１に示した実施の形態と同様の方法で、各画素毎の輝度を求める。
【００４９】
この場合、（５）式の計算はｎ枚の画面毎に行われるので、このｎ枚の画面については、（４）式におけるＡに相当するＡ’の値は同一となり、画像１枚ごとに異なった補正値で補正が行われてかえって不自然に見えることが防止できる。
【００５０】
この場合も、φを量子化し、量子化されたφの段階ごとにテーブルを持ったり、関数形を別にすることもできる。又、Ａ’についても量子化し、量子化されたＡ’の段階ごとにテーブルを持ったり、関数形を別にすることもできる。φとＡ’との量子化を組み合わせて使用してもよい。
【００５１】
以上のような動画解析部６の動作では、ｎ枚の画面の画像データのブロックごとに輝度の平均値Ａ’が算出され、そのｎ枚画面の画像データの輝度補正に使用される。しかしながら、この方法によると、あるｎ枚画面の画像データと、次のｎ枚画面の画像データの間で、輝度の平均値Ａ’が急激に変化し、その結果、ｎ枚の画面毎に補正値が異なって、不自然に見えることがある。これに対応するためには、ｎ枚の画面のブロックごとの輝度の平均値を求める代わりに、ｎ枚の画面の画像データの輝度の移動平均値を求め、それを使用するのが有効である。
【００５２】
すなわち、ある画面の画像の輝度補正を行うために使用する前記Ａ’として、その画面を含め、それ以前（その画像より後に表示されるもの）のｎ枚の画面の画像の輝度を先読みし、その平均値を使用する。これにより、輝度の平均値が急激に変化することが無くなり、画像が不自然に見えることが無くなる。
【００５３】
又、移動平均の代わりに、輝度の指数平滑値を用いてもよい。すなわち、所定番目の画面（ｋ番目とする）の画像における輝度の指数平滑値Ａ”（ｋ）は、
【００５４】
【数３】
2006133439.tif 000005
【００５５】
で求められる。α（０＜α＜１）は指数平滑定数である。このようにしても、移動平均をとったときと同様な効果が得られ、かつ、先読みする画像の画面の枚数は１枚でよいので、処理が簡単になる。
【図面の簡単な説明】
【００５６】
【図１】本発明の実施の形態であるヘッドマウントディスプレイの画像表示制御部を示すブロック図である。
【図２】源画像情報の画素の輝度情報Ｉｏと、補正後に出力される画素の輝度情報との補正関係を示す図である。
【図３】本発明の別の実施の形態であるヘッドマウントディスプレイの画像表示制御部を示すブロック図である。
【図４】公知のヘッドマウントディスプレイの構造を示す図である。
【符号の説明】
【００５７】
１…動画データ保持装置、２…画質調整量演算部、３…外部光測定部、４…動画データ再生部、５…画像表示装置、６…動画データ分析部
【図１】
2006133439.tif 000006
【図２】
2006133439.tif 000007
【図３】
2006133439.tif 000008
【図４】
2006133439.tif 000009